(57)【特許請求の範囲】
【請求項１】
一端が電気掃除機などの吸引装置に連通接続された第１の連結管に接続され、他端に前記吸引装置に連通接続される第１の接続管が接続される連結管Ａと、一端が前記連結管Ａの先端部に回動自在に枢支され、他端に塵埃を吸い込む吸込口を形成した吸込部材とからなり、前記吸込部材は、前記吸込口が前記連結管Ａの軸線に対して所定の角度になる方向に常に回動附勢する附勢手段と、前記附勢手段による附勢力で前記吸込口を前記連結管Ａの軸線に対して所定の角度に位置させる手段と、前記連結管Ａに配されると共に前記第１の接続管に係合する操作機構と、前記操作機構に形成されると共に前記吸込部材に設けた被係合部Ａと係合して前記吸込部材を前記連結管Ａの先端部の外郭上部近傍あるいは下部近傍に位置させて保持する係合手段とを備え、前記連結管Ａの軸線に対して所定の角度になる使用状態の位置と前記連結管Ａの先端部の外郭上部近傍あるいは下部近傍に回動した収納状態の位置との間を回動自在とし、前記第１の接続管と前記連結管Ａとの接続解除に連動して、前記係合手段と前記被係合部Ａとの係合が解除され、前記吸込口が前記連結管Ａの軸線に対して所定の角度に位置するように前記吸込部材が回動すると共に、回動した前記吸込部材が収納状態の位置に戻るのを防止する収納防止手段を備えたことを特徴とする吸込具。
【請求項２】
係合手段と被係合部Ａとの係合を解除する解除手段操作部を有したことを特徴とする請求項１に記載の吸込具。
【請求項３】
収納防止手段の解除をする収納防止手段解除手段操作部を有したことを特徴とする請求項１または２に記載の吸込具。
【請求項４】
吸込部材の吸込口先端部にブラシ・起毛布などの清掃用軟質部材を配設したことを特徴とする請求項１〜３のいずれか１項に記載の吸込具。
【請求項５】
清掃用軟質部材は、吸込部材が連結管Ａの先端部の外郭上部近傍あるいは下部近傍に位置した状態で、前記連結管Ａの先端部より少し突出するようにしたことを特徴とする請求項４に記載の吸込具。
【請求項６】
清掃用軟質部材は、附勢手段の附勢力と略同一以上の弾性力を有したことを特徴とする請求項４または５に記載の吸込具。
【請求項７】
吸込部材の回動範囲を約３０〜９０°に設定するとともに収納防止手段によって吸込部材が全回動時（使用状態）から収納状態側に移動しないように約６０°で位置規制をしたことを特徴とする請求項１〜６のいずれか１項に記載の吸込具。
【請求項８】
吸込部材が連結管Ａの先端部の外郭上部近傍あるいは下部近傍の位置と前記吸込部材の吸込口が前記連結管Ａの軸線に対して所定の角度になる位置までの回動範囲内に、前記吸込部材の吸込口面と、第１の連結管に設けられ使用時に握る把手の軸線とが略平行になる位置を設定したことを特徴とする請求項１〜７のいずれか１項に記載の吸込具。
【請求項９】
吸込部材の回動時に、前記吸込部材と連結管Ａの先端部との間に発生する隙間を覆うカバー体を配設したことを特徴とする請求項１〜８のいずれか１項に記載の吸込具。
【請求項１０】
カバー体を吸込部材の回動中心と略同軸で、かつ、前記吸込部材の回動と連動して回動するようにしたことを特徴とする請求項９記載の吸込具。
【請求項１１】
吸込部材が、連結管Ａの先端部の外郭上部近傍あるいは下部近傍に位置した時に、前記吸込部材を収納する収納カバー体を、前記連結管Ａの先端部に配設したことを特徴とする請求項１〜１０のいずれか１項に記載の吸込具。
【請求項１２】
収納カバー体の入り口先端部に、エラストマー、ゴム、塩化ビニル、起毛布などからなる軟質部材を配設したことを特徴とする請求項１１に記載の吸込具。
【請求項１３】
軟質部材を、連結管Ａの先端部より少し突出させて配設したことを特徴とする請求項１２に記載の吸込具。
【請求項１４】
収納カバー体を、左右に分割された外郭部材と操作機構を覆う操作機構カバー体とで構成し、前記左右の外郭部材を、リブなどを介して前記操作機構カバー体に結合させて固定することを特徴とする請求項１１〜１３のいずれか１項に記載の吸込具。
【請求項１５】
吸引力を発生するモーターと、前記モーターの吸気上流に配設され塵埃を捕集する集塵室を有する電気掃除機本体と、前記集塵室の吸気口に接続される本体接続部を有する連通管と、請求項１〜１４のいずれか１項に記載の吸込具を備えた電気掃除機。
【発明の詳細な説明】
【技術分野】
【０００１】
本発明は、電気掃除機などの吸引装置に接続されて使用する吸込具およびそれを用いた電気掃除機に関するものである。
【背景技術】
【０００２】
従来のこの種の吸込具は、集塵室と連通したホースと、ホースの先端に設けた先端パイプと、この先端パイプに接続される延長管、床用吸込具などを有した電気掃除機に、ブラシノズルや隙間ノズルとして前記先端パイプや延長管の先端に着脱自在に取付けられるものであった。その構成としては、先端パイプや延長管の先端部などに設けた取付け部に回動自在、摺動自在、着脱自在に接続可能な形態が一般的であった（例えば、特許文献１乃至４参照）。
【特許文献１】特開２０００−０７０１８７号公報
【特許文献２】特開２０００−２７９３５２号公報
【特許文献３】特許第３２１３６０８号公報
【特許文献４】特許第３３４４１３６号公報
【発明の開示】
【発明が解決しようとする課題】
【０００３】
しかしながら、上記特許文献に記載されたような従来の吸込具の構成では、ブラシノズルや隙間ノズルなどの吸込具を、先端パイプに装着する時には、まず、先端パイプから延長管を取り外した後、吸込具を握り、その収納場所から取り外し、または回動させて先端パイプに装着する必要があった。また、吸込具を先端パイプに対して正しい位置に装着しないと、吸込具の吸込口が意図しない方向に向くため、使いにくいという欠点があり、位置決めのし難さが課題であった。
【０００４】
さらには、先端パイプから取り外す時には、上記とは逆に、吸込具を握り、先端パイプから吸込具を取り外してまたは回動させて収納場所に収納した後、先端パイプに延長管を装着する必要があり、吸込具と延長管の付け替え時に、汚れた吸込具を握らなくてはならず不衛生であるとともに、吸込具と延長管の着脱、吸込具の収納部からの着脱の３動作が必要であり、使用性が悪いという課題があった。
【０００５】
また、吸込具の吸込口の角度が固定されており、吸込口の角度が変えられる吸込具でも、吸込口の角度を手で調整する必要があり、やはり、不衛生であるとともに使用性が悪いという課題があった。
【０００６】
他の従来の吸込具として、吸込具を、先端パイプなどの先端に回動あるいは摺動させて付け替え、収納ができるものがあり、先端パイプに対する、吸込具の接続の位置決めは改善されてはいるが、やはり、吸込具と延長管の付け替えに汚れやすい吸込具を握らなくてはならず不衛生であるとともに、吸込具と延長管の着脱、吸込具の収納部からの着脱の３動作が必要であり、使用性が悪いという課題が残っている。
【０００７】
また、延長管への吸込具の着脱においても、同様に床用吸込具の着脱と吸込具の着脱が必要であった。
【０００８】
本発明は、上記従来の課題を解決するもので、吸込具と延長管などの付け替え時に吸込具に触れることなく、また、吸込具の収納が掃除作業の延長で行うことができる、衛生的で、しかも使用性に優れた吸込具及び電気掃除機を提供することを目的とするものである。
【課題を解決するための手段】
【０００９】
上記従来の課題を解決するために、本発明の吸込具は、一端が電気掃除機などの吸引装置に連通接続された第１の連結管に接続され、他端に前記吸引装置に連通接続される第１の接続管が接続される連結管Ａと、一端が前記連結管Ａの先端部に回動自在に枢支され、他端に塵埃を吸い込む吸込口を形成した吸込部材とからなり、前記吸込部材は、前記吸込口が前記連結管Ａの軸線に対して所定の角度になる方向に常に回動附勢する附勢手段と、前記附勢手段による附勢力で前記吸込口を前記連結管Ａの軸線に対して所定の角度に位置させる手段と、前記連結管Ａに配されると共に前記第１の接続管に係合する操作機構と、前記操作機構に形成されると共に前記吸込部材に設けた被係合部Ａと係合して前記吸込部材を前記連結管Ａの先端部の外郭上部近傍あるいは下部近傍に位置させて保持する係合手段とを備え、前記連結管Ａの軸線に対して所定の角度になる使用状態の位置と前記連結管Ａの先端部の外郭上部近傍あるいは下部近傍に回動した収納状態の位置との間を回動自在とし、前記第１の接続管と前記連結管Ａとの接続解除に連動して、前記係合手段と前記被係合部Ａとの係合が解除され、前記吸込口が前記連結管Ａの軸線に対して所定の角度に位置するように前記吸込部材が回動すると共に、回動した前記吸込部材が収納状態の位置に戻るのを防止する収納防止手段を備えたもので、通常使用状態では、連結管Ａと第１の接続管を接続して使用し、吸込部材を操作機構の係合手段と係合させて、連結管Ａの先端部の外郭上部近傍あるいは下部近傍の位置で保持させて吸込部材を収納状態とし、操作機構を操作して連結管Ａから第１の接続管を取り外すと、同時に操作機構の係合部から吸込部材の被係合部Ａが外れて、吸込部材が附勢手段の附勢力によって、吸込口が連結管Ａの軸線に対して所定の角度に位置するように吸込部材が回動して、吸込具として直ちに塵埃の吸込みが行え、使い勝手が非常に良いものである。
【００１０】
また、第１の接続管を取付ける時には、収納防止手段を解除して吸込部材を連結管Ａの外郭上部あるいは下部に位置する方向に回動させ、収納して第１の接続管を取付ける。つまり、吸込具の使用状態、収納状態が、第１の接続管の着脱動作と連動及び使用動作の延長で行うことができ、吸込具に触れることなく、衛生的で使用性に優れた吸込具を提供することができる。
【００１１】
さらには、使用時における吸込具の吸込口の角度は、附勢手段による附勢力によって被掃除面側に常に附勢されているので、使用時の第１の連結管の角度によって吸込口の角度は追随が可能であり、従来の吸込具のように、吸込口の角度を気にすることなく、手軽に使用でき操作性が向上するとともに被掃除面への吸込口の密着性が向上することにより、集塵性能の向上が図れ、さらに、収納防止手段によって吸込部材はある一定の角度にて収納側への位置規制が行えるため、操作性を悪化させることも無く、操作性、集塵性能を大幅に向上させた吸込具を提供することができるものである。
【００１２】
また、本発明の電気掃除機は、吸引力を発生するモーターと、前記モーターの吸気上流に配設され塵埃を捕集する集塵室を有する電気掃除機本体と、前記集塵室の吸気口に接続される本体接続部を有する連通管と、請求項１〜１５のいずれか１項に記載の吸込具を備えたもので、電気掃除機としての掃除範囲の拡大や使用性の向上、衛生的な掃除などが容易に行えるものである。
【発明の効果】
【００１３】
本発明の吸込具は、吸込具の使用状態、収納状態の選択が、延長管などの第１の接続管の着脱動作と使用動作の延長で行え、着脱動作が少なく、また、吸込具に触れることがないため、衛生的で使用性に優れた吸込具を提供することができる。
【００１４】
さらには、使用時における吸込具の吸込口の角度は、附勢手段による附勢力によって被掃除面側に附勢されているので、使用時の第１の連結管の角度によって吸込口の角度は追随が可能であり、従来の構成のように吸込口の角度を気にすることなく、手軽に使用でき操作性が向上するとともに被掃除面への吸込口の密着性が向上することにより、集塵性能の向上が図れるとともに収納防止手段によって吸込部材はある一定の角度にて収納側への位置規制が行えるため、操作性を悪化させることも無く、操作性、集塵性能を大幅に向上させた吸込具を提供するものである。
【発明を実施するための最良の形態】
【００１５】
第１の発明は、一端が電気掃除機などの吸引装置に連通接続された第１の連結管に接続され、他端に前記吸引装置に連通接続される第１の接続管が接続される連結管Ａと、一端が前記連結管Ａの先端部に回動自在に枢支され、他端に塵埃を吸い込む吸込口を形成した吸込部材とからなり、前記吸込部材は、前記吸込口が前記連結管Ａの軸線に対して所定の角度になる方向に常に回動附勢する附勢手段と、前記附勢手段による附勢力で前記吸込口を前記連結管Ａの軸線に対して所定の角度に位置させる手段と、前記連結管Ａに配されると共に前記第１の接続管に係合する操作機構と、前記操作機構に形成されると共に前記吸込部材に設けた被係合部Ａと係合して前記吸込部材を前記連結管Ａの先端部の外郭上部近傍あるいは下部近傍に位置させて保持する係合手段とを備え、前記連結管Ａの軸線に対して所定の角度になる使用状態の位置と前記連結管Ａの先端部の外郭上部近傍あるいは下部近傍に回動した収納状態の位置との間を回動自在とし、前記第１の接続管と前記連結管Ａとの接続解除に連動して、前記係合手段と前記被係合部Ａとの係合が解除され、前記吸込口が前記連結管Ａの軸線に対して所定の角度に位置するように前記吸込部材が回動すると共に、回動した前記吸込部材が収納状態の位置に戻るのを防止する収納防止手段を備えたもので、通常使用状態では、連結管Ａと第１の接続管を接続して使用し、吸込部材を操作機構の係合手段と係合させて、連結管Ａの先端部の外郭上部近傍あるいは下部近傍の位置で保持させて吸込部材を収納状態とし、操作機構を操作して連結管Ａから第１の接続管を取り外すと、同時に操作機構の係合部から吸込部材の被係合部Ａが外れて、吸込部材が附勢手段の附勢力によって、吸込口が連結管Ａの軸線に対して所定の角度に位置するように吸込部材が回動して、吸込具として直ちに塵埃の吸込みが行え、使い勝手が非常に良いものである。
【００１６】
また、第１の接続管を取付ける時には、収納防止手段を解除して吸込部材を連結管Ａの外郭上部あるいは下部に位置する方向に回動させ、収納して第１の接続管を取付ける。つまり、吸込具の使用状態、収納状態が、第１の接続管の着脱動作と連動及び使用動作の延長で行うことができ、吸込具に触れることなく、衛生的で使用性に優れた吸込具を提供することができる。
【００１７】
さらには、使用時における吸込具の吸込口の角度は、附勢手段による附勢力によって被掃除面側に常に附勢されているので、使用時の第１の連結管の角度によって吸込口の角度は追随が可能であり、従来の吸込具のように、吸込口の角度を気にすることなく、手軽に使用でき操作性が向上するとともに被掃除面への吸込口の密着性が向上することにより、集塵性能の向上が図れ、さらに、収納防止手段によって吸込部材はある一定の角度にて収納側への位置規制が行えるため、操作性を悪化させることも無く、操作性、集塵性能を大幅に向上させた吸込具を提供することができるものである。
【００１８】
第２の発明は、特に、第１の発明の係合手段と被係合部Ａとの係合を解除する解除手段操作部を有したもので、吸込具を使用する時に操作機構の係合手段と吸込部材の被係合部Ａとの係合を解除する解除手段操作部を操作することによって、第１の接続管から連結管Ａが外れるとともに、吸込部材の被係合部Ａとの係合が解除され、連結管Ａの先端部の吸込部材が附勢手段の附勢力によって吸込口が連結管Ａの軸線に対して所定の角度に位置するように回動して、吸込具として直ちに塵埃の吸込みが行え、使い勝手が非常に良いものである。
【００１９】
第３の発明は、特に、第１又は第２の発明の収納防止手段の解除をする収納防止手段解除手段操作部を有したもので、収納防止手段解除手段操作部を操作することによって、吸込部材の位置規制が解除され、吸込部材を、連結管Ａに対して収納位置まで移動させて、収納出来るので、使い勝手が良いものである。
【００２０】
第４の発明は、特に、第１〜３のいずれか一つの発明の吸込部材の吸込口先端部にブラシ・起毛布などの清掃用軟質部材を配設したもので、吸込部材による被掃除面への傷つきを防止するとともに、被掃除面上の塵埃をブラシ・起毛布などの清掃用軟質部材によって掻き出したり、拭いたりすることにより、さらなる使用性の向上と集塵性能の向上が図れるものである。
【００２１】
第５の発明は、特に、第４の発明の清掃用軟質部材は、吸込部材が連結管Ａの先端部の外郭上部近傍あるいは下部近傍に位置した状態で、前記連結管Ａの先端部より少し突出するようにしたもので、吸込部材を使用状態から、床面側に強く押し付けて収納防止手段が強制的に解除された時や、誤って操作機構の係合手段と吸込部材の被係合部Ａとが係合して、吸込部材が連結管Ａの先端部の外郭上部近傍あるいは下部近傍に位置させて収納保持させてしまっても、被掃除面に直接連結管Ａの先端部が当たるのを防止し、被掃除面への傷つきを防止するとともに連結管Ａの先端部の損傷を防止できるものである。
【００２２】
第６の発明は、特に、第４又は第５の発明の清掃用軟質部材は、附勢手段の附勢力と略同一以上の弾性力を有したもので、吸込部材を使用状態で押さえ付けると附勢手段の附勢力より軟質材の弾性力の方が同等もしくは大きいため、吸込部材が連結管Ａ側に回動して移動し、床面の角度に関係なく連結管Ａの角度を変えなくても、吸込具の吸気口が常に床面に密着することとなり、吸込み性を維持して、掃除性能の向上と使用性の向上が図れるものである。
【００２３】
第７の発明は、特に、第１〜６のいずれか一つの発明の吸込部材の回動範囲を約３０〜９０°に設定するとともに収納防止手段によって吸込部材が全回動時（使用状態）から収納状態側に移動しないように約６０°で位置規制をしたもので、連結管Ａに対して角度を持った床面から略水平な場所まで使用が可能となり、使用範囲が拡大するとともに、使用者によって、先端パイプなどの第１の連結管を持って吸込部材を操作させ易い自然な角度に自由に設定が可能になり、使い易くまた、被掃除面に吸込部材を押付けても約６０°の位置で吸込部材が収納状態側に移動しないように位置規制されることにより吸込部材が収納位置まで移動しすぎることを防止してさらなる使用性の向上が図れるがものである。
【００２４】
第８の発明は、特に、第１〜７のいずれか一つの発明の吸込部材が連結管Ａの先端部の外郭上部近傍あるいは下部近傍の位置と前記吸込部材の吸込口が前記連結管Ａの軸線に対して所定の角度になる位置までの回動範囲内に、前記吸込部材の吸込口面と、第１の連結管に設けられ使用時に握る把手の軸線とが略平行になる位置を設定したもので、使用時に床面に対して把手が平行になり、吸込具を操作させ易い自然な角度であるため、使用性の向上が図れるものである。
【００２５】
第９の発明は、特に、第１〜８のいずれか一つの発明の吸込部材の回動時に、前記吸込部材と連結管Ａの先端部との間に発生する隙間を覆うカバー体を配設したもので、吸込部材と連結管Ａの先端部との間に発生する隙間からの吸気の漏れによる吸込力の低下を防止するとともに吸込具を大きくせずに本構成が構成でき、吸込部材の回動角度を大きく設定することができるため、吸込具の小型化を図りながら、さらなる使用性の向上が図れるものである。
【００２６】
第１０の発明は、特に、第９の発明のカバー体を吸込部材の回動中心と略同軸で、かつ、前記吸込部材の回動と連動して回動するようにしたもので、カバー体の配設スペースを最小にして吸込具の小型・軽量化・簡素化が図れるものである。
【００２７】
第１１の発明は、特に、第１〜１０のいずれか一つの発明の吸込部材が、連結管Ａの先端部の外郭上部近傍あるいは下部近傍に位置した時に、前記吸込部材を収納する収納カバー体を、前記連結管Ａの先端部に配設したもので、吸込部材の収納状態で汚れた吸込口に手などが触れにくくなるため、さらに衛生的になるとともに吸込部材の収納時における外観を向上させ、また、吸込部材をぶつけたりした時の損傷防止が行えるものである。
【００２８】
第１２の発明は、特に、第１１の発明の収納カバー体の入り口先端部に、エラストマー、ゴム、塩化ビニル、起毛布などからなる軟質部材を配設したもので、収納カバー体をぶつけた時などの損傷防止が行えるとともに吸込部材を連結管Ａの先端部の外郭上部あるいは下部近傍に位置させる方向に大きな力が加わっても、被掃除面に直接、収納カバー体の先端部が当たるのを防止し、被掃除面への傷つきを防止することができ、さらなる使用性の向上が図れるものである。
【００２９】
第１３の発明は、特に、第１２の発明の軟質部材を、連結管Ａの先端部より少し突出させて配設したもので、吸込部材を連結管Ａの先端部の外郭上部近傍あるいは下部近傍に位置させる方向に大きな力が加わっても、被掃除面に直接、連結管Ａの先端部や収納カバー体の先端部が当たるのを防止し、被掃除面への傷つきを防止することができ、さらなる使用性の向上が図れるものである。
【００３０】
第１４の発明は、特に、第１１〜１３のいずれか一つの発明の収納カバー体を、左右に分割された外郭部材と操作機構を覆う操作機構カバー体とで構成し、前記左右の外郭部材を、リブなどを介して前記操作機構カバー体に結合させて固定するもので、収納カバー体の外郭を形成するために必要な部品で外郭の固定の一部が行え、小型化、部品点数の削減、安価な構成が可能となるものである。
【００３１】
第１５の発明は、吸引力を発生するモーターと、前記モーターの吸気上流に配設され塵埃を捕集する集塵室を有する電気掃除機本体と、前記集塵室の吸気口に接続される本体接続部を有する連通管と、請求項１〜１４のいずれか１項に記載の吸込具を備えたもので、電気掃除機としての掃除範囲の拡大や使用性の向上、衛生的な掃除などが容易に行えるものである。
【００３２】
以下、本発明の実施の形態について、図面を参照しながら説明する。なお、この実施の形態によりこの発明が限定されるものではない。
【００３３】
（実施の形態１）
本発明の第１の実施の形態における吸込具について、図１〜図４を用いて説明する。
【００３４】
図１は、本実施の形態における吸込具を接続した電気掃除機の全体斜視図、図２は、同吸込具の使用状態における断面図、図３は、同吸込具の使用状態での収納状態防止時における上面図、図４は、同吸込具の収納状態における断面図である。
【００３５】
図１乃至４において、電気掃除機の本体下１は、前側に塵埃を集積する集塵袋２を配置した集塵室３、後方に塵埃吸引用のモ−タ−４などを有し、前部の集塵袋２の上方を覆う蓋体５で集塵室３を形成するとともに、後部のモーター４などを配置した上方を本体上６で覆い、電気掃除機本体７（以下、「本体７」という）７が構成されている。
【００３６】
８は、一端に、本体７の前部に構成した集塵室３に連通し、モーター４の吸引力による吸い込み通路を形成するフロントカバー９の吸気口１０に接続する本体接続部としての接続パイプ１１を有し、他端に、使用時に握って操作する把手１２を形成し、かつ、第１の接続管としての延長管１３を接続する第１の連結管としての先端パイプ１４を有するホースである。床面の塵埃を効率的に捕集する床用吸込具１５を、第２の接続管としての吸込具管１５Ａを介して、延長管１３の先端に着脱自在に接続して用いる。
【００３７】
１６は、本体７を持ち運びする時に握るサゲテであり、１７は、本体下１の前部底面に配設したキャスターローラー（図示せず）とともに使用時に本体７を移動させるローラーであり、本体下１の後部両側面に配設されている。
【００３８】
先端パイプ１４の先端には、延長管１３を取り外した時に、使用できる吸込部材として吸込具１８を構成している。前記吸込具１８は、下部略先端部に位置した回転軸１９によって、一端に、ブラシ・起毛布などの清掃用軟質部材としてブラシ２０を植毛した吸込部材としてのブラシホルダー２１を、先端パイプ１４に接続した第２の連結管としての連結管Ａ２２に対して回動自在に枢支し、前記ブラシホルダー２１は、連結管Ａ２２の外郭上方の位置とブラシホルダー２１の他端を連結管Ａ２２の吸込口側の接続口Ａ２３に連通させて連通部２３Ａを形成し、連結管Ａ２２に対してブラシ２０が一定の角度αを有した位置との間を回動自在に構成している。
【００３９】
２４は、ブラシホルダー２１を吸込具１８の接続口Ａ２３に対して一定の角度αを有する方向に附勢する附勢手段としてのフックバネであり、ブラシホルダー２１の側面と連結管Ａ２２の側面に設けられ、ブラシホルダー２１の回動範囲を規制する部材としてのリブＡ２１ＡとリブＢ２２Ａが当接することによってブラシホルダー２１の回動角度（β）を規制している。
【００４０】
この時、フックバネ２４の附勢力（弾性力）は、ブラシ２０の弾性力と同等もしくは、それより小さく設定している。また、角度βを、約６０°に設定しており、ブラシ２０と被掃除面の角度（α）は約３０°となり、先端パイプ１４の把手１２と略平行となるようにしている。また、フックバネ２４の附勢力は、ブラシ２０の弾性力と同等もしくは、それより小さく設定していることにより、ブラシ２０を被掃除面に押し付けることによって、ブラシホルダー２１を回動させるとともに連結管Ａ２２の外郭上方に位置させ、保持させることが出来る。
【００４１】
２５は、延長管１３を、連結管Ａ２２に接続した時に一端に設けた凸部Ａ２６が、延長管１３の凹部Ａ２７に係合し、延長管１３を保持、固定する操作機構としての尾錠Ａであり、前記尾錠Ａ２５は、他端に、解除手段操作部として指で押さえる釦Ａ２８を形成するとともに、軸Ａ２９によって回動自在に構成され、かつ、釦Ａ２８の略下部に圧縮バネＡ３０を配置し、圧縮バネＡ３０によって常に釦Ａ２８を上方に附勢、つまり、凸部Ａ２６を下方に附勢し、延長管１３の凹部Ａ２７に係合させる方向に力を加えている。
【００４２】
また、前記尾錠Ａ２５は、軸Ａ２９と釦Ａ２８の間にブラシホルダー２１側に傾斜面３１Ａを有し、上方に突出した係合手段として係合部Ａ３１を形成し、ブラシホルダー２１の連通部２３Ａ側に形成した被係合部Ａ３２に係合して、図４に示すようにブラシホルダー２１を連結管２２Ａの上方に保持、固定できるようになっている。
【００４３】
同様に、吸込具１８も、先端パイプ１４の接続口Ｂ３３部に設けられた凸部Ｂ３４と釦Ｂ３５を、軸Ｂ３６で回動自在に構成した尾錠Ｂ３７を配置し、前記釦Ｂ３５の略下部に配置した圧縮バネＢ３８で、凸部Ｂ３４を下方に常時附勢し、連結管Ａ２２に設けた凹部Ｂ３９と係合させる方向に力を加えて、先端パイプ１４に連結管Ａ２２を接続して、吸込具１８を固定している。床用吸込具１５の吸込具管１５Ａと延長管１３の接続も同一の構成で構成されている。
【００４４】
次に、ブラシホルダー２１が連結管Ａ２２から回動してブラシ２０で構成される吸込口４０を突出させた状態で、前記ブラシホルダー２１が一定角度以上、連結管Ａ２２の上方側に移動しないように収納防止手段としてストッパーＡ４１が形成されている。前記ストッパーＡ４１は、連結管Ａ２２上方に設けた支軸Ａ４２によって略コの字状の形状で、反支軸Ａ４２には、ブラシホルダー２１の後面に当接するストッパー部４１Ａが形成され、支軸Ａ４２とストッパー部４１Ａの間には、上部から押すことによって、ストッパー部４１Ａを下方へ移動させる収納防止手段解除手段操作部として操作部Ａ４３を形成している。
【００４５】
また、４４は、ブラシホルダー２１が回動した時に連結管Ａ２２との間に発生する開口部を覆うカバー体としてのブラシカバーであり、ブラシホルダー２１の回動中心である回転軸１９によって回動自在に構成されており、連結管Ａ２２からの吸引力を吸込口４０に伝える通路を形成する。
【００４６】
以上のように構成された本実施の形態における吸込具１８及びそれを接続した電気掃除機の動作、作用は以下の通りである。
【００４７】
床面の掃除を行う時には、本体７の吸気口１０に接続パイプ１１を接続し、先端パイプ１４の接続口Ｂ３３に、吸込具１８を、また、吸込具１８の連結管Ａ２２の接続口Ａ２３に延長管１３を接続し、延長管１３の先端に、床用吸込具１５の吸込具管１５Ａを接続して、先端パイプ１４の把手１２を握り、モーター４の吸引力によって床面上の塵埃を床用吸込具１５から吸込み、吸込具管１５Ａ、延長管１３、連結管Ａ２２、先端パイプ１４、ホース８、接続パイプ１１、吸気口１０を介して、本体７の集塵室３に配置した集塵袋２内に集塵していく。
【００４８】
次に、ソファーや壁際、カーテン、テーブル上、また、床用吸込具１５が入らないような隙間の掃除の時には、尾錠Ａ２５の釦Ａ２８を押して、延長管１３を、吸込具１８の連結管Ａ２２の接続口Ａ２３から外す。
【００４９】
この時、延長管１３を吸込具１８の連結管Ａ２２の接続口Ａ２３から外すと、図２に示すように、先端パイプ１４の先端に接続した吸込具１８のブラシホルダー２１の被係合部Ａ３２と、尾錠Ａ２５の係合部Ａ３１による係合が解除されることにより、連結管Ａ２２の上方に位置していたブラシホルダー２１が、フックバネ２４の附勢力によって接続口Ａ２３側に回動し、ブラシホルダー２１の側面に形成したリブＡ２１Ａが、連結管Ａ２２の側面に形成したリブＢ２２Ａと当接して、ブラシ２０を配設したブラシホルダー２１が連結管Ａ２２に対して一定の角度αを有した状態で保持される。したがってこの状態ですぐ吸込具１８としてソファーや壁際などの掃除が可能になる。
【００５０】
また、フックバネ２４による附勢力によって、ブラシ２０が常に被掃除面側に附勢されていることにより、被掃除面への密着性が良く、塵埃の除去が効率的に行えるとともに、先端パイプ１４に対する被掃除面の角度が変わってもブラシ２０の面が、常に被掃除面に沿って回動することにより、把手１２の角度を変える必要がなく、使用性が向上し、かつ、掃除性能も向上するものである。
【００５１】
さらには、爪楊枝やボタン、小石などの重量のある塵埃が、ブラシ２０の通常の角度（本実施の形態でのβ）で吸えなくても、吸込具１８を被掃除面に押し付けてブラシ２０の角度を変えて、ブラシ２０先端から連結管Ａ２２の接続口Ａ２３の距離を短くすることにより、ブラシ２０部の真空圧が増大して吸込むことが可能となり、掃除実態にあった吸込み性の優れた吸込具１８を提供することができるものである。
【００５２】
また、ブラシ２０の傾斜角度βを約６０°に設定していることにより、把手１２と略平行になり、自然な姿勢で把手１２を移動させることができ、楽に掃除が行える。
【００５３】
さらには、ブラシ２０を、被掃除面に押し付け過ぎた場合には、図３に示すように、ブラシホルダー２１が連結管Ａ２２側に回動するが、一定の角度で、ブラシホルダー２１の後面が連結管Ａ２２上部に配設されたストッパー部４１Ａに当接することによって、それ以上、連結管Ａ２２側に移動することが無く、掃除動作を妨げること無く、良好に掃除が行える。
【００５４】
次に、ブラシ２０を配設したブラシホルダー２１を収納する時や、延長管１３を連結管Ａ２２に接続する時には、ブラシ２０の弾性力がフックバネ２４の附勢力（弾性力）と同等以上に設定していることから、ブラシ２０を被掃除面に押し付け、ブラシホルダー２１を回動させながらストッパーＡ４１の操作部Ａ４３を押えることによりストッパーＡ４１が支軸Ａ４２を支点として下方へ移動し、ストッパー部４１Ａとブラシホルダー２１の後面との当接が解除されてブラシホルダー２１が収納側に移動でき、ブラシホルダー２１の被係合部Ａ３２が、尾錠Ａ２５の係合部Ａ３１の傾斜面３１Ａに誘われてその傾斜に沿って移動し、最終的には係合部Ａ３１に係合して、ブラシホルダー２１が連結管Ａ２２の上方に位置して保持され、連結管Ａ２２の接続口Ａ２３に、延長管１３の被接続口Ａ４５を容易に挿入することが可能になり、接続できるものである。
【００５５】
また、ブラシホルダー２１が一定の角度βに位置した時に、ブラシホルダー２１と連結管２２との間に発生する隙間を覆うブラシカバー４４を、ブラシホルダー２１の回動中心である回転軸１９によって回動自在に構成して配設することにより、ブラシホルダー２１を大きくすること無く、連結管Ａ２２との間に連通部２３Ａを形成することができ、ブラシホルダー２１の回動角度βを大きくして掃除範囲を拡大しても、小型の吸込具１８を提供できる。
【００５６】
したがってソファーや壁際などを掃除する時に、使用する吸込具１８の取付け、取り外しをする必要がなく、また、塵埃を吸込んだ吸込具１８やブラシ２０に触れること無く、延長管１３の着脱動作や掃除動作と連動して吸込具１８の使用状態、収納状態が選択でき、使用性が著しく向上するとともに清潔で収納性に優れ、かつ、掃除性能の優れた吸込具１８を提供でき、多大な効用を得ることができるものである。
【００５７】
（実施の形態２）
本発明の第２の実施の形態における吸込具について、図５〜図１０を用いて説明する。図５は、本実施の形態における吸込具を接続した電気掃除機の全体斜視図、図６は、同吸込具の使用状態における断面図、図７は、同吸込具の使用状態での収納状態防止時における断面図、図８は、同吸込具の収納状態における断面図、図９は、同吸込具の収納状態における上面図、図１０は、同吸込具の使用状態における側面図である。
【００５８】
なお、上記第１の実施の形態における吸込具、電気掃除機と同一の部品については、同一符号を付与し、その説明を省略する。
【００５９】
本実施の形態における吸込具１８Ａは、ブラシホルダー２１が連結管Ａ２２上方に位置した時に、ブラシホルダー２１を覆うように収納すると共に、ネジＡ４８、ネジＢ４９によって連結管Ａ２２に固定される外郭部材として外郭右４６と外郭左４７を備えている。また、外郭右４６、外郭左４７の先端略外周部には、エラストマー、軟質塩化ビニル、ゴム、起毛布などの軟質材からなる軟質部材としてバンパー５０が、図８に示すように、突出代Ａを有して連結管Ａ２２の先端より突出して配設されている。ブラシホルダー２１が連結管Ａ２２上方に位置した時に外郭右４６、外郭左４７の先端部よりも突出代Ｂを有して若干、ブラシ２０の先端部が突出した状態で保持されている。
【００６０】
ブラシホルダー２１と連結管Ａ２２との間に発生する隙間を覆ってブラシホルダー２１とともに連通部２３Ａを形成するブラシカバー４４は、ブラシホルダー２１の回動中心と同軸で回動自在に構成され、ブラシホルダー２１の連通部２３Ａ側に形成された被係合部Ｂ５１、被係合部Ｃ５２と係合する係合部Ｂ５３を形成し、ブラシホルダー２１の回動とともに回動する。
【００６１】
また、外郭右４６、外郭左４７の尾錠Ａ２５配置面には、尾錠Ａ２５を覆う操作機構カバー体として、外郭右４６、外郭左４７に設けた溝部右５４、溝部左５５と係合するリブＣ５６を形成した外郭上５７を配設して、外郭右４６、外郭左４７の上部の保持、固定を行っている。
【００６２】
以上のように、外郭右４６、外郭左４７及び外郭上５７で、収納カバー体を形成している。
【００６３】
また、外郭右４６、外郭左４７の前部上面には、軸Ｃ５８を支点にして、一端側に、ブラシホルダー２１側に圧縮バネＣ５９によって上方に附勢された操作部Ｂ６０を、他端側に、外郭右４６、外郭左４７の内部に突出するように形成され下方に凸部形状を有するストッパー部Ｂ６１を構成したストッパーＢ６２を配設している。
【００６４】
以上のように構成された本実施の形態における吸込具１８Ａの動作、作用は以下の通りである。
【００６５】
床面の掃除を行う時には、上記実施の形態１と同様に各部品を接続して行う。
【００６６】
次に、ソファーや壁際、カーテン、テーブル上、また、床用吸込具１５が入らないような隙間の掃除の時には、上記実施の形態１と同様に、尾錠Ａ２５の釦Ａ２８を押して、連結管Ａ２２から延長管１３を外す。この時、尾錠Ａ２５の釦Ａ２８が押されると、図６に示すように、先端パイプ１４の先端に接続した吸込具１８Ａのブラシホルダー２１の被係合部Ａ３２と尾錠Ａ２５の係合部Ａ３１による係合が解除されることにより、連結管Ａ２２上方に位置していたブラシホルダー２１がフックバネ２４の附勢力によって、接続口Ａ２３側に回動し、ブラシホルダー２１側面に形成したリブＡ２１Ａが、連結管Ａ２２の側面に形成したリブＢ２２Ａと当接して、ブラシ２０を配設したブラシホルダー２１が、連結管Ａ２２に対して一定の角度αを有した状態で保持され、その状態ですぐ吸込具１８Ａとしてソファーや壁際などの掃除が可能になる。
【００６７】
また、ブラシホルダー２１が連結管Ａ２２側に移動する方向に大きな力が加わっても、外郭右４６、外郭左４７の先端略外周に軟質材で形成されたバンパー５０を配置しているので被掃除面への傷つきが防止できる。さらには、ブラシ２０が、外郭右４６、外郭左４７内に収納された状態で、ブラシ２０の先端部が外郭右４６、外郭左４７より突出代Ｂだけ突出していることにより、被掃除面への傷つきがより防止できるとともにその収納状態でもブラシ２０による簡単な掃除が可能であり、さらにはブラシ２０が、外郭右４６、外郭左４７に突っかかって出てこないなどの不具合も防止できるものである。
【００６８】
さらには、ブラシ２０を被掃除面に押し付け過ぎた場合には、図７に示すように、ブラシホルダー２１が連結管Ａ２２側に回動するが、一定の角度でブラシカバー４４の後面が外郭右４６、外郭左４７内部に突出したストッパー部６１に当接することによってそれ以上、連結管Ａ２２側に移動することが無く、掃除動作を妨げること無く、良好に掃除が行える。
【００６９】
次に、ブラシ２０を配設したブラシホルダー２１を収納する時や、延長管１３を連結管Ａ２２に接続する時には、ブラシ２０の弾性力がフックバネ２４の附勢力（弾性力）と同等以上に設定していることから、ブラシ２０を、被掃除面に押し付け、ブラシホルダー２１を回動させながらストッパーＢ６２の操作部Ｂ６０を押えることにより、ストッパーＢ６２が軸Ｃ５８を支点としてストッパー部Ｂ６１が上方へ移動し、ストッパー部Ｂ６１とブラシカバー４４の後面との当接が解除されて、ブラシホルダー２１が収納側に移動でき、ブラシホルダー２１の被係合部Ａ３２が、尾錠Ａ２５の係合部Ａ３１の傾斜面３１Ａに誘われて、その傾斜に沿って移動し、最終的には、係合部Ａ３１に係合して、ブラシホルダー２１が、連結管Ａ２２の上方に位置して保持されて、連結管Ａ２２の接続口Ａ２３に延長管１３の被接続口Ａ４５が容易に挿入でき、接続できるものである。
【００７０】
また、外郭右４６、外郭左４７の中に、ブラシホルダー２１と、ブラシカバー４４と、ブラシ２０の大部分が収納されることにより、収納状態で汚れやすいブラシホルダー２１やブラシ２０などに触れにくく、また、見た目にも汚れが目立たないため、より衛生的である。
【００７１】
したがって、ソファーや壁際などを掃除する時に、使用する吸込具１８Ａの取付け、取り外しをする必要がなく、また、塵埃を吸込んだ吸込具１８Ａやブラシ２０に触れること無く、延長管１３の着脱動作や掃除動作と連動して吸込具１８Ａの使用状態、収納状態が選択でき、使用性が著しく向上するとともに清潔で収納性に優れ、かつ、掃除性能の優れた吸込具１８Ａを提供でき、多大な効用を得ることができるものである。
【００７２】
なお、本実施の形態では、ブラシ２０付きの吸込具１８Ａで説明したが、尾錠Ａ２５によるブラシホルダー２１の収納時の保持が可能な構成であれば、例えば吸込口先端を絞った隙間ノズルのような形態の吸込具でも同様の効果が得られることは言うまでも無い。
【００７３】
また、同様に、延長管１３の先端に、本実施の形態における吸込具１８、１８Ａを配置しても同様の効果が得られることは言うまでも無い。
【００７４】
尚、上記第１、第２の実施の形態では、ブラシホルダー２１の収納位置を、連結管Ａ２２の先端部の外郭上部近傍としたが、連結管Ａ２２の先端部の外郭下部近傍としても良い。
【産業上の利用可能性】
【００７５】
以上のように、本発明にかかる吸込具は、先端パイプなどへの吸込具の着脱が吸込具に触れること無く、かつ、延長管などの着脱における動作、掃除動作の中で容易に行えるとともに吸込具の収納も行え、衛生的で使用性の向上が図れるとともに掃除性能の向上が図れるので非常に有効である。
【図面の簡単な説明】
【００７６】
【図１】本発明の実施の形態１における吸込具を接続した電気掃除機の全体斜視図
【図２】同吸込具の使用状態における断面図
【図３】同吸込具の使用状態での収納状態防止時における断面図
【図４】同吸込具の収納状態における断面図
【図５】本発明の実施の形態２における吸込具を接続した電気掃除機の全体斜視図
【図６】同吸込具の使用状態における断面図
【図７】同吸込具の使用状態での収納状態防止時における断面図
【図８】同吸込具の収納状態における断面図
【図９】同吸込具の収納状態における上面図
【図１０】同吸込具の使用状態における側面図
【符号の説明】
【００７７】
８      ホース（連通管）
１１    接続パイプ（本体接続部）
１３    延長管（第１の接続管）
１４    先端パイプ（第１の連結管）
１８、１８Ａ  吸込具
１９    回転軸
２０    ブラシ（清掃用軟質部材）
２１    ブラシホルダー（吸込部材）
２１Ａ  リブＡ（手段）
２２    連結管Ａ
２２Ａ  リブＢ（手段）
２３    接続口Ａ
２３Ａ  連通部
２４    フックバネ（附勢手段）
２５    尾錠Ａ（操作機構）
２８    釦Ａ（解除手段操作部）
３１    係合部Ａ（係合手段）
３１Ａ  傾斜面
３２    被係合部Ａ
４０    吸込口
４１    ストッパーＡ（収納防止手段）
４１Ａ  ストッパー部
４２    支軸Ａ
４３    操作部Ａ（収納防止手段解除手段操作部）
４４    ブラシカバー（カバー体）
４６    外郭右（収納カバー体、外郭部材）
４７    外郭左（収納カバー体、外郭部材）
４８    ネジＡ
４９    ネジＢ
５０    バンパー（軟質部材）
５１    被係合部Ｂ
５２    被係合部Ｃ
５３    係合部Ｂ
５４    溝部右
５５    溝部左
５６    リブＣ
５７    外郭上（収納カバー体、操作機構カバー体）
５８    軸Ｃ
５９    圧縮バネＣ
６０    操作部Ｂ
６１    ストッパー部Ｂ
６２    ストッパーＢ
【図１】
0004930264.tif 000002
【図２】
0004930264.tif 000003
【図３】
0004930264.tif 000004
【図４】
0004930264.tif 000005
【図５】
0004930264.tif 000006
【図６】
0004930264.tif 000007
【図７】
0004930264.tif 000008
【図８】
0004930264.tif 000009
【図９】
0004930264.tif 000010
【図１０】
0004930264.tif 000011